(57)【特許請求の範囲】
【請求項１】
前板、該前板の後側の裏カバー及び該裏カバーの後側の胴板等からなる引出しを収納家具本体に収納する際の振止め構造であって、
前記収納家具本体の左右の側板の前面から後方に段落ちした左右の側框の内側面よりも内側に位置して前記引出しの左右方向の移動を規制するガイド部と、前記側框の前面に当接する当接部とを備えてなる左右の振止め体を、前記胴板の左右の外側面におけるレール等の凸部が設けられていない部分に接した状態で該胴板に取付けてなる収納家具における引出しの振止め構造。
【請求項２】
前記振止め体が、前記胴板の左右の外側面におけるレール等の凸部が設けられていない部分に突設された突起に形成された前後方向の係合孔に後側から係合する係合片、及び、前記裏カバーの後面板の係合孔に後側から係合し、該裏カバーの側面板の係止孔に係止する係止片を備えてなる請求項１記載の収納家具における引出しの振止め構造。
【請求項３】
前記左右の側框が、上下に延びる、開口部側を前記側板の内面に対向させた平面視略コ字状の前補強体であり、該前補強体には前記左右の側板に沿って後方に延びる前後の取付板が設けられるとともに、該前補強体の前面には上下複数の係合孔又は係合凹部が設けられ、前記左右の側板の前端部が、左右方向の内側及び後側へ連続して折り曲げられて平面視略コ字状とされ、該折曲部の後端から後方に突出する上下複数の係合凸片を前記係合孔又は係合凹部に係合させた状態で、前記左右の前補強体の前後の取付板と前記左右の側板とを溶着してなる請求項１記載の収納家具における引出しの振止め構造。
【請求項４】
前記左右の前補強体の上下端に左右方向の内側へ延出する上框連結体及び下框連結体をそれぞれ溶着し、左右の上框連結体と上框とを溶着するとともに、左右の下框連結体と下框とを溶着してなる請求項３記載の収納家具における引出しの振止め構造。
【発明の詳細な説明】
【技術分野】
【０００１】
本発明は、ワゴン又は袖キャビネット等の収納家具における引出しの振止め構造に関するものである。
【背景技術】
【０００２】
従来のワゴン又は袖キャビネット等の収納家具における引出しの振止め構造として、嵌合片及び係合片が左右方向の内側に突設された、後方に向かう係着片の前端に外方に向かう緩衝片が連設されてなる平面視略Ｌ字状の軟質合成樹脂からなる緩衝体を、引出しの側板の左右外側面に設けられた、前後方向に延び、左右方向の外側に膨出するレールの左右外側面に形成された係合孔に前記嵌合片及び係合片を弾性嵌合させて、該レールに係着させてなるもの（例えば、特許文献１参照。）等がある。
【０００３】
【特許文献１】実公昭５７−２７３１９号公報（第１−４図）
【発明の開示】
【発明が解決しようとする課題】
【０００４】
特許文献１の構成は、前記緩衝体が、前記緩衝片及び係着片が連設された平面視略Ｌ字状の軟質合成樹脂製であるとともに、前記緩衝片が前記引出しの前板の裏面に添接しているものである。また、前記緩衝体は、その係着片に設けられた嵌合片及び係合片を前記レールの係合孔に弾性嵌合することのみにより前記引出しに取付けられる。
【０００５】
したがって、引出しを粗暴に閉じた場合等において、前記引出しの前板の裏面に添接する緩衝片により衝撃力が軽減されるが、前記緩衝体自体の強度及び剛性が低いこと、及び、該緩衝体の前記レールへの取付強度及び剛性が低いことから、前記引出しの前板に相当以上の力が掛かり、該前板が変形する場合があるという問題点がある。
【０００６】
本発明は、前記のような問題点を解決するためになされたものであり、引出しを粗暴に閉じた場合等であっても、前板に掛かる力が小さく該前板の変形を抑制することができる収納家具における引出しの振止め構造を得ることを目的とする。
【課題を解決するための手段】
【０００７】
本発明に係る収納家具における引出しの振止め構造は、前記課題解決のために、前板、該前板の後側の裏カバー及び該裏カバーの後側の胴板等からなる引出しを収納家具本体に収納する際の振止め構造であって、前記収納家具本体の左右の側板の前面から後方に段落ちした左右の側框の内側面よりも内側に位置して前記引出しの左右方向の移動を規制するガイド部と、前記側框の前面に当接する当接部とを備えてなる左右の振止め体を、前記胴板の左右の外側面におけるレール等の凸部が設けられていない部分に接した状態で該胴板に取付けてなるものである。
【０００８】
ここで、前記振止め体が、前記胴板の左右の外側面におけるレール等の凸部が設けられていない部分に突設された突起に形成された前後方向の係合孔に後側から係合する係合片、及び、前記裏カバーの後面板の係合孔に後側から係合し、該裏カバーの側面板の係止孔に係止する係止片を備えてなると好ましい。
【０００９】
また、前記左右の側框が、上下に延びる、開口部側を前記側板の内面に対向させた平面視略コ字状の前補強体であり、該前補強体には前記左右の側板に沿って後方に延びる前後の取付板が設けられるとともに、該前補強体の前面には上下複数の係合孔又は係合凹部が設けられ、前記左右の側板の前端部が、左右方向の内側及び後側へ連続して折り曲げられて平面視略コ字状とされ、該折曲部の後端から後方に突出する上下複数の係合凸片を前記係合孔又は係合凹部に係合させた状態で、前記左右の前補強体の前後の取付板と前記左右の側板とを溶着してなると好ましい。
【００１０】
さらに、前記左右の前補強体の上下端に左右方向の内側へ延出する上框連結体及び下框連結体をそれぞれ溶着し、左右の上框連結体と上框とを溶着するとともに、左右の下框連結体と下框とを溶着してなると好ましい。
【発明の効果】
【００１１】
本発明に係る収納家具における引出しの振止め構造によれば、前板、該前板の後側の裏カバー及び該裏カバーの後側の胴板等からなる引出しを収納家具本体に収納する際の振止め構造であって、前記収納家具本体の左右の側板の前面から後方に段落ちした左右の側框の内側面よりも内側に位置して前記引出しの左右方向の移動を規制するガイド部と、前記側框の前面に当接する当接部とを備えてなる左右の振止め体を、前記胴板の左右の外側面におけるレール等の凸部が設けられていない部分に接した状態で該胴板に取付けてなるので、前記ガイド部及び当接部を備えた振止め体の形状を左右方向に大きくすることができるため、該振止め体を合成樹脂製として衝撃吸収性及び静粛性を確保しながら、強度及び剛性を高めることができる。また、前記振止め体は前板には取付けられない。よって、前記引出しを粗暴に閉じた場合等であっても、前記前板に掛かる力が小さく該前板の変形を抑制することができる。
【００１２】
また、前記振止め体が、前記胴板の左右の外側面におけるレール等の凸部が設けられていない部分に突設された突起に形成された前後方向の係合孔に後側から係合する係合片、及び、前記裏カバーの後面板の係合孔に後側から係合し、該裏カバーの側面板の係止孔に係止する係止片を備えてなると、前記振止め体を前記胴板及び裏カバーに取付ける取付強度及び剛性が高いことから、前記前板の変形抑制効果をさらに高めることができる。
【００１３】
さらに、前記左右の側框が、上下に延びる、開口部側を前記側板の内面に対向させた平面視略コ字状の前補強体であり、該前補強体には前記左右の側板に沿って後方に延びる前後の取付板が設けられるとともに、該前補強体の前面には上下複数の係合孔又は係合凹部が設けられ、前記左右の側板の前端部が、左右方向の内側及び後側へ連続して折り曲げられて平面視略コ字状とされ、該折曲部の後端から後方に突出する上下複数の係合凸片を前記係合孔又は係合凹部に係合させた状態で、前記左右の前補強体の前後の取付板と前記左右の側板とを溶着してなると、前記左右の前補強体による補強強度及び剛性が高いこと並びに前記収納家具本体の側板の前端部に直接力が伝わらないことから、収納家具本体の側板の変形を抑制することができる。したがって、前記振止め体による振止め構造の動作の信頼性を長期にわたって確保することができる。
【００１４】
さらにまた、前記左右の前補強体の上下端に左右方向の内側へ延出する上框連結体及び下框連結体をそれぞれ溶着し、左右の上框連結体と上框とを溶着するとともに、左右の下框連結体と下框とを溶着してなると、前記左右の前補強体、上框連結体、下框連結体、上框及び下框により強固な矩形の枠体（框体）が形成されることから、前記左右の前補強体間の間隔（間口）の寸法精度を高くすることができる。したがって、左側の振止め体のガイド部と左前補強体との間隔、及び、右側の振止め体のガイド部と右前補強体との間隔を狭くすることができるため、該左右の振止め体による振止め効果をさらに高めることができる。
【発明を実施するための最良の形態】
【００１５】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、引出しを引き出す方向側（引出しを開ける方向側）を前、その反対側（引出しを閉じる方向側）を後とし、後方に向かって左右を左右とする。
【００１６】
図１は、本発明の実施の形態に係る収納家具における引出しの振止め構造が用いられた上下２段の引出しを備えたワゴンを示す縦断左側面図、図２及び図３は、ワゴン本体側板の左右前端部の補強構造を示す分解斜視図である。また、図４は引出しの左側面図、図５は引出しの分解斜視図、図６は振止め体の形状説明図であり、図６（ａ）は左の振止め体を左右方向の内側（右側）から見た斜視図、図６（ｂ）は右の振止め体を左右方向の外側（右側）から見た斜視図である。さらに、図７は引出しを閉じた状態を示す横断平面図である。
【００１７】
図１において、ワゴン１０１は、ワゴン本体１０２と、ワゴン本体１０２の左右内側面に取付けられたレール並びに該レールに係合するローラ及びスライダー等の組合せからなる案内手段１０３，１０３により引出しレール３ａ，３ａが支持されて前後に開閉可能な、上段引出し１０４及び下段引出し１０５等から構成される。また、ワゴン本体１０２は、後側板１０６及び左右側板１０７，１０７からなる前側を開放してなる平面視略コ字状の鋼製の側板、該側板の上部前後に取付けられた鋼製の上框１０８ａ及び取付板１０８ｂ、該側板の下部前後に取付けられた鋼製の下框１０９ａ及び底板１０９ｂ、上框１０８ａ及び取付板１０８ｂの上面に取付けられた鋼製又は木製の天板１１０、並びに、下框１０９ａ及び底板１０９ｂの下面に取付けられたキャスター１１１，…等により構成される。該キャスター１１１，…により、ワゴン１０１の移動が容易となっている。
【００１８】
上段引出し１０４及び下段引出し１０５は、鋼製の前板１の後面に鋼製の裏カバー２を取付け、その後側に上方に開口する正面視略コ字状の鋼製の胴板３を取付け、該胴板３の後側に鋼製の後板４を取付けて物品の収容部を形成している。また、引手装置１１は、引出し１０４，１０５の前板１の上側において、左右方向軸まわりに回動可能な、合成樹脂製の引手体１２と、該引手体１２の回動による隙間を塞ぐ重合部が設けられた、合成樹脂製のカバー体１３とを備えている。
【００１９】
引出し１０４，１０５を閉じてワゴン本体１０２内に収容した状態では、平面視及び側面視において、天板１１０及び左右の側板１０７，１０７により、該引出し１０４，１０５の前板１，１が隠され、平面視及び側面視において視認されない構造となっているため、すっきりとした外観の印象を与えることができるとともに、前記のとおり合成樹脂製の引手体１２及びカバー体１３を保護することができる。
【００２０】
また、引出し１０４，１０５は、前記のとおり案内手段１０３，１０３により支持されて前後に開閉可能とされ、引出し１０４，１０５を閉じると、ラッチ装置３１が作動状態となるため、引出し１０４，１０５が不意に開くことが防止される。そして、引手体１２を引くと、該操作に連動してラッチ装置３１が解除状態となる。
【００２１】
次に、ワゴン本体１０２の前端部の補強構造について説明する。図２に示すように、ワゴン本体１０２の左側板１０７は、その前端部が左右方向の内側（右方）及び後側（後方）へ連続して折り曲げられ、平面視コ字状の折曲部１０７ａが形成され、該折曲部１０７ａ後端の上下には複数の係合凸片１０７ｂ，…が後方に突設される。そして、上下に延びる、開口部側を左側板１０７の内面に対向させた平面視略コ字状の鋼製の左前補強体１２１には、その前面に、前記係合凸片１０７ｂ，…と係合する係合孔１２１ｂ，…が上下に複数設けられ、左側板１０７に沿って後方に延びる前後の鋼製の取付板１２１ａ，１２１ａが左前補強体１２１と一体に形成される。なお、前記係合孔１２１ｂ，…は係合凹部であってもよいし、前記取付板１２１ａ，１２１ａは左前補強体１２１と別体のものを左前補強体１２１に固定してもよい。また、係止突起１２２，１２２は、引出し１０４，１０５のラッチ装置３１，３１を構成するラッチ板３３，３３の係止部３３ａ，３３ａ（図４参照）が係止して引出し１０４，１０５を閉じた状態でラッチを掛けるためのものである。
【００２２】
また、図３に示すように、ワゴン本体１０２の右側板１０７は、その前端部が左右方向の内側（左方）及び後側（後方）へ連続して折り曲げられ、平面視コ字状の折曲部１０７ａが形成され、該折曲部１０７ａ後端の上下には複数の係合凸片１０７ｂ，…が後方に突設される。そして、上下に延びる、開口部側を右側板１０７の内面に対向させた平面視略コ字状の鋼製の右前補強体１３１には、その前面に、前記係合凸片１０７ｂ，…と係合する係合孔１３１ｂ，…が上下に複数設けられ、右側板１０７に沿って後方に延びる前後の鋼製の取付板１３１ａ，１３１ａが右前補強体１３１と一体に形成される。なお、前記係合孔１３１ｂ，…は係合凹部であってもよいし、前記取付板１３１ａ，１３１ａは右前補強体１３１と別体のものを右前補強体１３１に固定してもよい。
【００２３】
また、図２及び図３に示すように、前補強体１２１，１３１には、内側から前側の取付板１２１ａ，１３１ａが視認できる位置に、上下複数（図２及び図３の例では４箇所）のスポット溶接用電極の挿通孔１２１ｃ，…及び１３１ｃ，…が形成されている。したがって、前側の取付板１２１ａ，１３１ａは左右の側板１０７，１０７に沿って後方に延びるものであるが、前側の取付板１２１ａ，１３１ａと左右の側板１０７，１０７とをスポット溶接により強固に固定することができる。なお、このように前側の取付板１２１ａ，１３１ａが後方に延びるものであると、該取付板の端面が前側から視認できないため、商品価値として重要な美観を向上することができる。
【００２４】
ワゴン本体１０２の左側板１０７の前記係合凸片１０７ｂ，…に左前補強体１２１の前記係合孔１２１ｂ，…を係合させ、前後の取付板１２１ａ，１２１ａを左側板１０７に当接させた状態で、前後の取付板１２１ａ，１２１ａと左側板１０７とをスポット溶接により溶着する（図２参照）。また、ワゴン本体１０２の右側板１０７の前記係合凸片１０７ｂ，…に右前補強体１３１の前記係合孔１３１ｂ，…を係合させ、前後の取付板１３１ａ，１３１ａを右側板１０７に当接させた状態で、前後の取付板１３１ａ，１３１ａと右側板１０７とをスポット溶接により溶着する（図３参照）。
【００２５】
以上のように、左右の補強体１２１及び１３１により、ワゴン本体１０２の左右側板１０７，１０７の前面から後方に段落ちした側框が形成され、該側框である前補強体１２１，１３１と左右の側板１０７，１０７とは、溶着により前後２列の固定がされて強固に連結されるため、側板１０７，１０７の前端部の強度及び剛性が大幅に向上する。また、前補強体１２１，１３１の上下端には内側に延びる上框連結体１１２及び下框連結体１１３が溶着されるため、比較的薄い板材からなる前補強体１２１，１３１の上下端の歪みが抑制されて、より強固な補強構造を得ることができる。その上、左右の側板１０７，１０７の前記係合凸片１０７ｂ，…と前補強体１２１，１３１の係合孔１２１ｂ，…及び１３１ｂ，…とが係合しているため、側板１０７，１０７の前端部の強度及び剛性がさらに向上する構造となっている。
【００２６】
次に、側框である前補強体１２１，１３１と上框１０８ａ及び下框１０９ａ（図１参照）との固定について説明する。図２及び図３に示すように、前記のとおり前補強体１２１，１３１の上下端には上框連結体１１２及び下框連結体１１３が固定されるため、左右の上框連結体１１２，１１２と上框１０８ａとをスポット溶接により溶着し、左右の下框連結体１１３，１１３と下框１０９ａとをスポット溶接により溶着すれば、強固な矩形の枠体（框体）が形成される。したがって、ワゴン本体１０２の前面開口部の強度及び剛性を大幅に向上させた補強構造を得ることができる。なお、前記溶着は、スポット溶接に限定されるものではなく、例えば下框連結体１１３，１１３と下框１０９ａ等をアーク溶接又はレーザ溶接等により溶着してもよい。
【００２７】
次に、引出し１０４，１０５の振止め構造について説明する。図４及び図５に示すように、前板１の上部には、上方、後方及び下方に連続して折り曲げられたカバー体支持部２１が形成され、前板１の下部には、係合孔２９ａ，…が形成された、後方へ延びる裏板支持板２９が横設される。また、裏カバー２には胴板３が溶着され、裏カバー２の上部には、上方及び前方に連続して折り曲げられ、後面板４１ａ及び上面板４１ｂからなる係合片４１が形成され、裏カバー２の下部には、係合凸部４２，…が下方へ突設される。
【００２８】
したがって、裏カバー２上部の係合片４１を前板１のカバー体支持部２１の下側から挿入して、後面板４１ａ及び上面板４１ｂをカバー体支持部２１の下側に係合させた状態で、裏カバー２下部の係合凸部４２，…を前板１下部の裏板支持板２９に形成された係合孔２９ａ，…に係止することにより、容易に裏カバー２を前板１に取付けることができる。なお、係合凸部４２，…は、前方に行くに従って上昇する傾斜面４２ａが形成されているため、前記前板１への裏カバー２の取付けを小さい力で円滑に行うことができる。
【００２９】
図５に示すように、引出し１０４（１０５）の胴板３の左右の外側面における左右のレール３ａ，３ａ等の凸部が設けられていない部分には、外方へ突出する突起４５，４５が内面側からプレス金型を押圧して一体形成され、同時に、該突起４５，４５には、前後方向の係合孔４５ａ，４５ａが形成され、ブリッジ状となる。また、引出し１０４（１０５）の裏カバー２の左右の後面板４３，４３には、係合孔４３ａ，４３ａが形成され、該裏カバー２の左右の側面板４４，４４には係止孔４４ａ，４４ａが形成される。
【００３０】
振止め体１４１は、後述するように、胴板３の左右の外側面におけるレール３ａ，３ａ等の凸部が設けられていない部分に接した状態で取付けられる。したがって、図６及び図７に示すように、特に左右方向に長い比較的大きい形状（例えば、平面視において略矩形状）とすることができるため、ポリアセタール、ポリプロピレン、ポリエチレンテレフタレート、ナイロン又はＡＢＳ等の合成樹脂製とされて衝撃吸収性及び静粛性が確保されるが、全体として強度及び剛性を高めることができる。
【００３１】
該振止め体１４１は、図６に示すように、前後に延びる側板１４２及び該側板１４２の前部において左右方向の外側に延びる前板１４３、該前板１４３の左右方向の外側に設けられ後方に突出する当接部１４６、側板１４２及び前板１４３を連結する上下の水平板からなるガイド部１４４，１４４、並びに、該上下のガイド部１４４，１４４を連結する略左右方向に延びる垂直の連結板１４５等を主要構成部材とするものである。
【００３２】
また、振止め体１４１を引出し１０４（１０５）に取付けるための取付部材として、前記側板１４２から左右方向の内側（胴板３側）に離間した位置には、該側板１４２に沿って前方に延びる係合片１４２ａが、前記前板１４３の左右方向の内側には、前方に突出する係止片１４３ａが一体に形成される。
【００３３】
したがって、胴板３の前記係合孔４５ａ，４５ａの後側から振止め体１４１，１４１の前記係合片１４２ａ，１４２ａを挿入するとともに、裏カバー２の前記係合孔４３ａ，４３ａの後側から振止め体１４１，１４１の前記係止片１４３ａ，１４３ａを挿入して、裏カバー２の前記係止孔４４ａ，４４ａに、前記係止片１４３ａ，１４３ａの前端鉤状部を係止させれば、左右の振止め体１４１，１４１は、胴板３の左右の外側面におけるレール３ａ，３ａ等の凸部が設けられていない部分に接した状態で、胴板３及び裏カバー２に容易かつ確実に、また取付強度及び剛性が高い状態で強固に取付けられる。なお、引出しの構成によっては、左右の振止め体を胴板のみに取付けてもよい。
【００３４】
次に、このようにして引出し１０４，１０５の胴板３及び裏カバー２の左右に取付けられた振止め体１４１，１４１の作用について説明する。図７はワゴン本体１０２の右側板１０７及び右前補強体１３１と引出し１０４（１０５）の右側の振止め体１４１との関係を示しているが、ワゴン本体１０２の左側板１０７及び左前補強体１２１と引出し１０４（１０５）の左側の振止め体１４１との関係も、右側と左右対称であり、同様の関係となっている。
【００３５】
引出し１０４（１０５）を開けた状態から、図７に示すように引出し１０４（１０５）を閉じると、左右の振止め体１４１，１４１のガイド部１４４，…が左右の前補強体１２１，１３１（ワゴン本体１０２の左右側板１０７，１０７の前面から後方に段落ちした側框）の内側面間に入るため、引出し１０４（１０５）の左右方向の移動が規制され、がたつきが抑制される。
【００３６】
前記のとおり、左右の前補強体１２１，１３１による補強強度及び剛性が高いこと、さらに、前補強体１２１，１３１、上框連結体１１２，１１２及び下框連結体１１３，１１３並びに上框１０８ａ及び下框１０９ａにより強固な矩形の枠体（框体）が形成されることから、左右の前補強体１２１，１３１間の間隔（間口）の寸法精度を高くすることができる。したがって、左側の振止め体１４１のガイド部１４４，１４４と左前補強体１２１との間隔、及び、右側の振止め体１４１のガイド部１４４，１４４と右前補強体１３１との間隔を狭くすることができるため、該左右の振止め体１４１，１４１による振止め効果を高めることができる。
【００３７】
また、引出し１０４（１０５）を開けた状態から、図７に示すように引出し１０４（１０５）を閉じると、左右の前補強体１２１，１３１（ワゴン本体１０２の左右側板１０７，１０７の前面から後方に段落ちした側框）の前面が当止め部になっているため、該当止め部に、合成樹脂製の左右の振止め体１４１，１４１の当接部１４６，１４６が当接し、引出し１０４（１０５）とワゴン本体１０２との衝突による衝撃が緩和される。さらに、左右の前補強体１２１，１３１からなる強固な当止め部により、引出し１０４（１０５）の当止めを確実に行うことができると共に、該当止め部の変形を抑制することができる。
【００３８】
そして、ワゴン本体１０２内に引出し１０４（１０５）を収容した状態で、引出し前板１が、左右の側板１０７，１０７の前端部内面及び左右の前補強体１２１，１３１の前面により形成される段落ち部の前側に位置し、平面視及び側面視において、引出し前板１が視認されないため、すっきりとした外観の印象を与えることができる。
【００３９】
ここで、該当接部１４６が設けられた振止め体１４１の前板１４３は、引出し前板１の後側に位置するが、前記のとおり、前記ガイド部１４４，…及び当接部１４６，…を備えた振止め体１４１の形状を左右方向に大きくして強度及び剛性を高めることができること、該振止め体１４１を胴板３等に取付ける取付強度及び剛性が高いこと、並びに、該振止め体１４１が引出し前板１には取付けられないことから、引出し１０４，１０５を粗暴に閉じた場合であっても、引出し前板１に掛かる力は小さく、該引出し前板１の変形を抑制することができる。
【００４０】
また、引出し１０４（１０５）を閉じて、左右の振止め体１４１，１４１の当接部１４６，１４６が左右の前補強体１２１，１３１に当接すると、該前補強体１２１，１３１及び側板１０７，１０７に力が掛かるが、前記のとおり、前補強体１２１，１３１による補強強度及び剛性が高く変形しにくいこと、並びに、左右の側板１０７，１０７の係合凸片１０７ｂ，…と前補強体１２１，１３１の係合孔１２１ｂ，…及び１３１ｂ，…とは、係合しているのみで溶着等により一体化されていないため側板１０７，１０７の前端部には力が直接伝わらないことから、ワゴン本体１０２の側板１０７，１０７の変形を抑制することができる。したがって、前記振止め体１４１，１４１による振止め動作の信頼性を長期にわたって確保することができる。
【図面の簡単な説明】
【００４１】
【図１】本発明の実施の形態に係る収納家具における引出しの振止め構造が用いられた上下２段の引出しを備えたワゴンを示す縦断左側面図である。
【図２】ワゴン本体側板の左前端部の補強構造を示す分解斜視図である。
【図３】同じく右前端部の補強構造を示す分解斜視図である。
【図４】引出しの左側面図である。
【図５】同じく分解斜視図である。
【図６】振止め体の形状説明図であり、（ａ）は左の振止め体を右側から見た斜視図、（ｂ）は右の振止め体を右側から見た斜視図である。
【図７】引出しを閉じた状態を示す横断平面図である。
【符号の説明】
【００４２】
１０１  ワゴン（収納家具）
１０２  ワゴン本体（収納家具本体）
１０３  案内手段
１０４  上段引出し
１０５  下段引出し
１０６，１０７側板
１０７ａ  折曲部
１０７ｂ  係合凸片
１０８ａ  上框
１０９ａ  下框
１１２  上框連結体
１１３  下框連結体
１２１  左前補強体
１２１ａ  取付板
１２１ｂ  係合孔
１３１  右前補強体
１３１ａ  取付板
１３１ｂ  係合孔
１４１  振止め体
１４２  側板
１４２ａ  係合片
１４３  前板
１４３ａ  係止片
１４４  ガイド部
１４５  連結板
１４６  当接部
１  前板
２  裏カバー
３  胴板
３ａ  引出しレール
４  後板
２９  裏板支持板
２９ａ  係合孔
４１  係合片
４１ａ  後面板
４１ｂ  上面板
４２  係合凸部
４３  後面板
４３ａ  係合孔
４４  側面板
４４ａ  係止孔
４５  突起
４５ａ  係合孔
【図１】
0004747806.tif 000002
【図２】
0004747806.tif 000003
【図３】
0004747806.tif 000004
【図４】
0004747806.tif 000005
【図５】
0004747806.tif 000006
【図６】
0004747806.tif 000007
【図７】
0004747806.tif 000008